(57)【要約】【課題】明るく、階調色度特性に優れた、新規なマルチモード型の液晶表示パネルを提供する。【解決手段】配向膜１３を付した電極１２が表面に形成された基板１１を２枚の配向膜側を対向させ、対向する基板間に間隙を設けて間隙に液晶１５を封入してなり、２枚の基板上の電極間に印加する電圧を制御して液晶１５内の液晶分子１６の配向を規制するマルチモード型の液晶表示パネルにおいて、液晶表示パネルにおける微小領域内、例えば一画素内にそれぞれ複数種類の液晶動作モードで表示する領域Ｉ、領域ＩＩを設ける。【選択図】      図３
2004302251.tif 000002
【特許請求の範囲】
【請求項１】
配向膜を付した電極が表面に形成された２枚の基板を該配向膜側を対向させ、対向する基板間に間隙を設けて該間隙に液晶を封入してなり、前記２枚の基板上の電極間に印加する電圧を制御して前記液晶内の液晶分子の配向を規制する液晶表示パネルにおいて、
前記液晶表示パネルにおける微小領域内に複数種類の液晶動作モードで表示する領域を設けた、
ことを特徴とするマルチモード型の液晶表示パネル。
【請求項２】
前記複数種類の液晶動作モードが、横電界スイッチング型と垂直配向型の２つである、
請求項１に記載の液晶表示パネル。
【請求項３】
一方の前記電極上の前記配向膜は、前記微小領域内で互いに異なる前記液晶動作モードを得るためパターニングされたものである、
請求項１または２に記載の液晶表示パネル。
【請求項４】
前記微小領域が一画素である、
請求項１乃至３の何れか一つに記載の液晶表示パネル。
【請求項５】
少なくとも一方の前記液晶動作モードで表示する領域が、マルチドメイン構造を有する、請求項１乃至４の何れか一つに記載の液晶表示パネル。
【発明の詳細な説明】
【０００１】
【発明の属する技術分野】
本発明は単一液晶動作モード型液晶表示パネルの表示性能を改善させるマルチモード型の液晶表示パネルに関する。
【０００２】
【従来の技術】
図１１は従来技術による垂直配向型液晶パネルの説明図であり、図１２は従来技術による横電界スイッチング型液晶パネルの説明図である。高画質、特に視野角特性に優れた液晶表示パネルとして、現在、図１１に示すマルチドメイン配向（ＭＶＡ）構造を有する垂直配向型液晶パネル（以下、ＭＶＡモードパネルと記す）と、図１２に示すインプレーンスイッチング（ＩＰＳ）と称する横電界スイッチング型液晶パネル（以下、ＩＰＳモードパネルと記す）とが、その特性も優れ、よく知られている。マルチドメイン配向（ＭＶＡ）構造とは、１画素の中に配向状態の異なる複数のドメイン領域が形成された構造を言う。
【０００３】
【特許文献１】
特開平２−１３７８１９号公報
液晶内に水平、垂直配向の領域を細かく作って水平と垂直の中間位のトータルで平均した高プレチルト角を安定に得る液晶表示装置を開示している。配向がマルチモードの液晶表示パネルを開示するものではない。
【０００４】
【特許文献２】
特開平１０−２６０４０７号公報
液晶内に微小な水平、垂直配向の領域を細かく作って偏光板を不要とする効率的に散乱する散乱型の液晶表示装置を開示している。配向がマルチモードの液晶表示パネルを開示するものではない。
【０００５】
【発明が解決しようとする課題】
しかしながら、これらの優れた液晶表示パネルにおいても欠点がないわけではなく、一例を挙げれば、前者では階調を変えた場合の視角特性が十分ではなく、後者では正面コントラストが十分高くない。
【０００６】
前者のＭＶＡモードパネルでの階調視角特性においては、例えば中間調で表示した画像が斜めから観ると白ちゃけたり、斜めから観た色合いが正面から異なる等の問題を生じる。一方、後者のＩＰＳモードパネルにおいては、水平配向に起因して正面コントラストとして２００〜３００程度が限界となっている。
【０００７】
また、斜め４５°方位の（液晶表示パネル面の法線方向に対して４５°傾いた方向から見た）コントラストはＭＶＡモードパネルの場合と比較して十分とは言えず、透過率についても改善が望まれている。黒状態での斜めからみた色付の問題もある。このように、上記２つの優れた液晶動作モード、すなわちＭＶＡモードパネルにおける配向制御に特徴のあるＭＶＡ動作モードとＩＰＳモードパネルにおける電極配置に特徴のあるＩＰＳ動作モードとにおいても一長一短があり、往々にして両者の欠点は異なる。
【０００８】
それゆえ、本発明は、上記従来技術の問題点を解決し、従来技術による単一液晶表示パネルとは異なる新規な液晶動作モードを有し、従来技術による液晶表示パネルの表示性能を改善させる、より明るく、階調色度特性に優れた、マルチモード型の液晶表示パネルを提供することを目的とする。
【０００９】
【課題を解決するための手段】
本発明は、先に説明した従来技術をベースとして、少なくともＭＶＡ動作モードとＩＰＳ動作モードの一方の欠点を補いつつそれぞれの利点を最大限維持することができないかという観点からなされたものである。個々の液晶動作モードは、それぞれにそのモード特有の長所および短所を有している。そこで、本発明は、異なる液晶動作モードを、液晶表示パネル内の微小領域（少なくとも一つの画素からなる領域）、例えば一画素内に各々２種類以上設けることにより、単一モードでの欠点を可能な限り補おうとするところに着眼したものである。
【００１０】
図１は本発明によるマルチモード型液晶表示パネルの基本構成図である。液晶表示パネル内の微小領域、例えば一画素内を、各々、領域Ｉと領域ＩＩの２つの領域に分割し、一方の領域Ｉにおいて第１の、例えば横電界スイッチング型（ＩＰＳ）動作モードが構成され、他方の領域ＩＩにおいて第２の、例えば垂直配向型（ＭＶＡ）動作モードが構成されている。透過率で言うと、ＩＰＳ動作モードが構成された領域Ｉでは多少劣るものの、ＭＶＡ動作モードが構成された領域ＩＩでは十分高い特性が得られ、領域Ｉと領域ＩＩとを合わせたトータルの領域では、十分な透過率（輝度）が得られることになる。ここでは、２分割の例で示すが、必ずしも２分割に限定されるものではないことは、言うまでもない。
【００１１】
上記マルチモード型液晶表示パネルにおいて、一方の前記電極上の前記配向膜は、前記微小領域内で互いに異なる前記液晶動作モードを得るためパターニングされたものである。
【００１２】
上記マルチモード型液晶表示パネルにおいて、前記微小領域が一画素である。
【００１３】
上記マルチモード型液晶表示パネルにおいて、少なくとも一方の前記液晶動作モードで表示する領域が、マルチドメイン構造を有する。
【００１４】
上記マルチモード型液晶表示パネルでは、コントラスト、階調視角、等についても、お互いに補い合う関係にあり、トータルでは非常にバランスのとれた高画質の液晶表示パネルを提供することが出来る。このように、液晶表示パネル内の微小領域、例えば一画素内に各々異なる液晶動作モードの構成を２つあるいはそれ以上設けることにより、お互いの欠点、すなわち各単一液晶動作モードがそれぞれ有する欠点を効果的に補い、非常にバランスの取れたマルチモードの液晶表示パネルを提供することが可能となる。ここでは液晶動作モードの代表として、横電界スイッチング型（ＩＰＳ）動作モードと垂直配向型（ＭＶＡ）動作モードとを選んだが、お互いに補い合うのであれば、これらの動作モードに限らないことは、言うまでも無い。
【００１５】
【発明の実施の形態】
図２は本発明によるマルチモード型液晶表示パネルの一実施形態の基本構成図である。図２に示すように、本発明の液晶表示パネルは、液晶表示パネル内の微小領域、例えば一画素内に各々、横電界スイッチング型（ＩＰＳ）動作モードが構成された領域Ｉと垂直配向型（ＭＶＡ）動作モードが構成された領域ＩＩを一体にした液晶動作モードを基本構成とする。領域ＩにおけるＩＰＳ動作モードの構成は、液晶に水平配向規制を行っているのに対し、領域ＩＩにおけるＭＶＡ動作モードの構成は垂直配向規制を行っているので、互いに異なる配向制御が必要となる。以下に説明する第１実施例は、単純に配向膜を２種類用い、一方をパターニングして形成したものである。
【００１６】
図３は本発明によるマルチモード型液晶表示パネルの第１実施例における一方の基板の概略構成図である。図３に示すように、第１実施例の液晶表示パネルは、一方の第１基板１１の電極１２側に水平配向処理を施した水平配向膜１３が付される。次いで、以下に記すように、水平配向膜１３の上面半分の領域に垂直配向膜１４を形成する。
【００１７】
図３に示す第１実施例では垂直配向膜が水平配向膜の上（液晶１５）側であるが、原理的には、水平、垂直のどちらの配向膜が下（電極１２）側であってもよい。ＴＮ（Ｔｗｉｓｔｅｄ  Ｎｅｍａｔｉｃ）方式と同様にラビング処理を必要とするが、処理としてはホモジニアス（水平）配向処理である。配向材料としては、水平配向膜（例えばＪＡＬＳ−１０５４／ＪＳＲ製）と垂直配向膜（例えばＪＡＬＳ−２０４／ＪＳＲ製）を用いる。
【００１８】
まず、水平配向膜１３を基板１１上の電極１２上に塗布し、焼成し、続いて垂直配向膜１４を水平配向膜１３の上面全領域に同様に塗布し、焼成することで、積層形成する。
【００１９】
次に、フォトレジストにより部分的に顔出しを行う。すなわち、エッチング液を使用する通常のエッチングまたはエッチング液を使用しないドライエッチング等の処理で垂直配向膜１４を部分的に除去し、水平配向膜１３の顔出しを行い水平配向膜１３と垂直配向膜１４とを部分的にパターニング形成する。より詳しくは、垂直配向膜１４の上にレジストを塗布し、水平配向膜１３と垂直配向膜１４の表面形状に合わせて水平配向膜１３の部分を覆うマスクを、先に垂直配向膜１４上に塗布したレジストの上に置いて、基板全体を露光する。次に、マスクを外して現像液に浸す。この工程でレジストがポジであればマスクされていない部分が露光されてこの部分のレジストが除去される。次に、密着性をよくするため定着液に浸す。次に、通常のエッチングでは、基板全体をエッチング液に浸し除去されたレジストの下にある垂直配向膜を除去することにより水平配向膜の顔出しができパターニングが完了する。
【００２０】
残ったフォトレジストを除去した後、ラビング処理を施せば、ホモジニアス（水平）配向領域Ｉと傾斜角度を有する垂直配向領域ＩＩとを液晶表示パネル内の微小領域、例えば一画素内に各々同時に形成することが可能である。
【００２１】
ここで、傾斜角度とは、チルト角φを言い、基板１１面に対する液晶１５内の液晶分子１６の長軸のなす角度を言う。完全な垂直配向の場合、チルト角は９０°となる。
【００２２】
傾斜角（配向材料の選択及びラビング条件の最適化によって９０度に限りなく近づけることは可能）を有する垂直配向領域ＩＩは、後述する水平配向膜１３の上に土手を設けるか、または電極１２にスリットを設ける等によりＭＶＡ構造を有する垂直配向膜を付与することで、電極間への電界印加時の液晶配向状態は、土手またはスリットの形状に従うようになり、それゆえ先に施したラビング処理は問題とならず、ＭＶＡ動作モードの領域となる。
【００２３】
一方、ホモジニアス（水平）配向の領域は、ＩＰＳ電極を基板に設けることで、通常のＩＰＳ動作モードの液晶と同様に、電極間への電圧印加時に水平配向膜面近傍の液晶内でスイッチング動作する。また、ＩＰＳ動作モードの液晶表示パネルは、モノドメイン構造においても広い視角特性を有しているが、更なる広視角化には、マルチドメイン化が必要である。このため電極をシェブロン構造にして２ドメイン化することも当然可能である。
【００２４】
第１実施例では、垂直配向膜が水平配向膜の上に積層形成した例を説明したが、他の実施形態として、垂直配向膜が下で水平配向膜が上に積層形成したものでもよい。
【００２５】
図４は本発明によるマルチモード型液晶表示パネルの第２実施例における一方の基板の概略構成図である。図４に示すように、第２実施例の液晶表示パネルは部分的にストライプ状の微細土手を用いたところに特徴がある。垂直配向膜を印刷する場合が本例である。
【００２６】
図４に示す第２実施例の液晶表示パネルで用いる、微細な凹凸ストライプとしては、約６μｍピッチ（ｐ）以下程度で、０．３μｍ〜１．０μｍ程度の段差（ｄ）が効果的であり、実験的に良好な水平配向を確認した。部分的に形成した微細土手により、垂直配向膜を全面に印刷するだけで、水平及び垂直の２つの領域を形成することでマルチモードに対応したものである。
【００２７】
図５は本発明によるマルチモード型液晶表示パネルの第３実施例を説明する概略構成図である。第２の実施例との違いは、垂直配向膜を印刷でなく、モノマー技術により自動形成した点である。図５に示す液晶表示パネルは自動形成垂直配向膜を付したものである。部分的に微細土手を形成し、その領域にのみ紫外線を照射することで水平配向領域を得る点が異なる。
【００２８】
このように、図５に示す第３実施例の液晶表示パネルは、自動形成垂直配向膜１４’、２４’を付した点が第１、第２実施例と異なる。
【００２９】
ここで重要なポイントは垂直配向面が微小なピッチで凹凸を有していることであり、垂直配向膜は塗布するのではなく、モノマー等を液晶に混入させ、注入後に紫外線照射などで基板界面に吸着させたポリマーを形成することでも垂直配向膜への垂直配向性の付与は可能である。ラウリル、ステアリル等の垂直配向能を有したアクリレートと多官能モノマーを組合せることで容易に垂直配向性の付与は可能である。またモノマーに代わり、適宜、オリゴマー等も使用可能である。この場合、オリゴマーとしては、ポリエステルアクリレート、ポリウレタンアクリレート、エポキシアクリレート、ポリエーテルアクリレート、オリゴアクリレート、アルキドアクリレート、ポリオールアクリレートなどがある。重合度を１０以下とすれば、溶解性もある程度許容でき適用可能である。
【００３０】
第２実施例または第３実施例の他の実施形態として、１画素内のホモジニアス（水平）配向領域Ｉと傾斜角度を有する垂直配向領域ＩＩの内の一方に、ここでは垂直配向領域ＩＩに、配向状態の異なる複数のドメイン領域が形成されたマルチドメイン配向（ＭＶＡ）構造を設ければ、高透過率、高速応答、広視野角を同時に実現可能なマルチモード型液晶表示パネルを実現できる。なお、マルチドメイン配向（ＭＶＡ）構造を得るため、例えば４つのドメイン配向構造を得るため、モノマー等を液晶に混入させ、注入後に、１画素の３／４の領域をマスクして残りの１／４の領域に第１の方向から光（紫外線）を照射し、次いでマスクを９０°づつ回転してはそれぞれ第１の方向とは異なる第２〜４の方向から光（紫外線）を照射する４つの工程を実行することで基板界面に吸着させたポリマーに異なる方向に傾斜するプレチルト角を付ける垂直配向膜を得る技術を用いればよい。この技術の詳細は、本願出願人により本願と同日に出願される明細書に記載されている。当然ではあるが、マルチドメイン構造を得るために従来よりよく知られた、土手及びスリットを用いることも可能である（図示せず）。
【００３１】
以上のように２種以上の液晶動作モードを液晶表示パネル内の微小領域、例えば一画素内にそれぞれ有するマルチモード型の液晶表示パネルにおいて、輝度を効率的に高めるためには、ノーマリブラック型又はノーマリホワイト型の表示モードで画素内を形成するのが良いのは言うまでもない。但し、画素毎に液晶動作モードを異ならせる場合、すなわち液晶動作モードの異なる画素を混在させる場合には、この限りでない。
【００３２】
図６は各種モードの組合せ例の一覧表を示す図である。本発明によるマルチモードの具体例として図６に示す一覧表に挙げる組み合わせが考えられる。図６において、ＮＢはＮｏｒｍａｌｌｙ  Ｂｌａｃｋを、ＮＷはＮｏｒｍａｌｌｙ  Ｗｈｉｔｅを、ＶＡは垂直配向型液晶又はマルチドメイン型の垂直配向型液晶（ＭＶＡ）を、ＴＮはＴｗｉｓｔｅｄ  Ｎｅｍａｔｉｃを、ＯＣＢはＯｐｔｉｃａｌｌｙ  Ｃｏｍｐｅｎｓａｔｅｄ  Ｂｉｒｅｆｒｉｎｇｅｎｃｅを、ＨＡはＨｙｂｒｉｄを、それぞれ短縮して示すものである。
【００３３】
以上、簡単に実施例を挙げたが、本発明はこれ以外の液晶モードとの組み合わせも可能であることは言うまでも無い。ここで、２種類以上の液晶動作モードを組み合わせるからには、組合せにより何らかのメリットが出せることが要求され、単独の液晶動作モードでは得られなかった視角特性（特に階調視角特性）、応答速度（各階調間も含む）、透過率（最大輝度）などでメリットが出るような組み合わせとすることが必要である。画素毎に液晶動作モードを異ならせる方が、製造という観点からは、より容易に製造できるという利点があるが、折角の精細度をある面では多少犠牲にすることになり得る。そこで、望ましくは、一画素内でマルチモードを実現する構成にした方が、個々の液晶動作モードが有する欠点を補いつつそれぞれの利点を最大限維持するので良い。
【００３４】
次に、図７〜図９を参照して単一モード型およびマルチモード型の液晶表示パネルの性能（応答速度、透過率、コントラスト）を比較して以下に説明する。ここで、モードＡのみの液晶表示パネルは１００％ＭＶＡが、モードＢのみの液晶表示パネルは１００％ＩＰＳが、およびモードＡとモードＢを含むマルチモードの液晶表示パネルは５０％ＭＶＡ＋５０％ＩＰＳが、それぞれ液晶表示パネル内の微小領域、例えば一画素内に構成されたパネルである。
【００３５】
図７は単一モードとマルチモードの応答時間の相違を比較して示す図である。図７において、横軸は到達階調レベルを示し、縦軸は応答時間を示す。モードＡのみ（１００％ＭＶＡ）の液晶表示パネルでは到達階調レベルの増加につれて応答時間は下がり、モードＢのみ（１００％ＩＰＳ）の液晶表示パネルでは到達階調レベルの増加につれて応答時間は上がる。モードＡとモードＢを含むマルチモード（５０％ＭＶＡ＋５０％ＩＰＳ）の液晶表示パネルでは到達階調レベルの増加に対し応答時間はほぼ一定である。このマルチモードによれば到達階調レベルの増加につれて応答時間の変化が少ないという単一モードと比して利点がある。
【００３６】
図８は単一モードとマルチモードの透過率（階調視覚特性）の相違を比較して示す図である。図８において、横軸は電極間への印加電圧を示し、縦軸は透過率を示す。モードＡのみの液晶表示パネルでは印加電圧の増加につれて透過率は上がり、モードＢのみの液晶表示パネルでも印加電圧の増加につれて透過率は上がるが、その上昇率は小さい。モードＡとモードＢを含むマルチモードの液晶表示パネルでは印加電圧の増加につれて透過率は上がるが、その上昇率はモードＡの上昇率とモードＢの上昇率の中間である。
【００３７】
図９は単一モードとマルチモードのコントラストの相違を比較して示す図である。図９は、モードＡのみの液晶表示パネル、モードＢのみの液晶表示パネルおよびモードＡとモードＢを含むマルチモードの液晶表示パネルの各コントラストを比較して示している。マルチモードの液晶表示パネルのコントラストは、モードＡのみの液晶表示パネルのコントラストとモードＢのみの液晶表示パネルのコントラストの中間である。
【００３８】
図１０は単一モードとマルチモードの透過率のシミュレーション結果を示す図であり、（Ａ）はＭＶＡ：ＩＰＳ＝１００：０のときの結果を示し、（Ｂ）はＭＶＡ：ＩＰＳ＝０：１００のときの結果を示し、（Ｃ）はＭＶＡ：ＩＰＳ＝５０：５０のときの結果を示す図である。図１０において、横軸は電極間への印加電圧を示し、縦軸は透過率を示す。図１０の（Ａ）に示すように、モードＡのみの液晶表示パネルでは電極間印加電圧の低電圧側（低階調側）で斜め視角αの増加に応じて透過率が高くなり、電極間印加電圧の高電圧側（高階調側）で斜め視角αの増加に応じて透過率が低くなる。図１０の（Ｂ）に示すように、モードＢのみの液晶表示パネルでは電極間印加電圧の低電圧側（低階調側）から高電圧側（高階調側）まで斜め視角αの増加に応じて透過率が高くなる。図１０の（Ｃ）に示すように、モードＡ＋Ｂの液晶表示パネルでは電極間印加電圧の低電圧側（低階調側）から高電圧側（高階調側）まで斜め視角αの増加に応じて透過率がモードＢのみの液晶表示パネルの場合程ではないが高くなる。ここで、斜め視角αとは、液晶表示パネルの表示画面を画面に垂直な方向に対し傾いた方向から見たときのなす角度を言い、画面に垂直な方向から見たときの斜め角度は０度である。
【００３９】
したがって、図１０に示すシミュレーション結果（各モードの階調視覚特性）から階調視角特性を良い順に記すと、モードＢのみの液晶表示パネル、マルチ（Ａ＋Ｂ）モードの液晶表示パネル、モードＡのみの液晶表示パネルの順であることが判る。
【００４０】
この階調視角特性に関し、図１０の（Ｂ）に示す最も優れた性能を有する単独モードＢのＩＰＳパネルと図８に示すように電極間印加電圧の低電圧側（低階調側）で斜め視角による透過率が高いＭＶＡパネルとを１：１の割合でマルチモード化した液晶表示パネルを実現することで、この階調視角特性も大きく改善することが判る。
【００４１】
また、図１０の（Ｃ）に示す例では、モードＡ＋Ｂの液晶表示パネルにおいて、微小領域内に設けられる液晶動作モードＡで表示する領域と液晶動作モードＢで表示する領域との配分を、１：１にしているが、この配分は、液晶動作モードの特性に応じて適切に、例えば２：１に配分することもできる。
【００４２】
透過率、コントラスト等の他の特性をも含めたトータルでの特性としてはマルチモード化することの改善効果は、実用を考慮した場合に非常に重要と考えられ、この観点から本発明の適用は極めて有利である。
【００４３】
（付記１）  配向膜を付した電極が表面に形成された２枚の基板を該配向膜側を対向させ、対向する基板間に間隙を設けて該間隙に液晶を封入してなり、前記２枚の基板上の電極間に印加する電圧を制御して前記液晶内の液晶分子の配向を規制する液晶表示パネルにおいて、
前記液晶表示パネルにおける微小領域内に複数種類の液晶動作モードで表示する領域を設けた、
ことを特徴とするマルチモード型の液晶表示パネル。
【００４４】
（付記２）  前記複数種類の液晶動作モードが、横電界スイッチング型と垂直配向型の２つである、
付記１に記載の液晶表示パネル。
【００４５】
（付記３）  前記液晶内の液晶分子の配向制御は、前記微小領域において水平配向制御と垂直配向制御を含む、
付記１または２に記載の表示表示パネル。
【００４６】
（付記４）  一方の前記電極上の前記配向膜は、前記微小領域内で互いに異なる前記液晶動作モードを得るためパターニングされたものである、
付記３に記載の液晶表示パネル。
【００４７】
（付記５）  前記液晶内に混入させたモノマーを光硬化させて前記配向膜の界面に吸着形成させることにより前記液晶の配向を規制する、付記３記載の液晶表示パネル。
【００４８】
（付記６）  前記液晶がノーマリブラック型である、
付記１乃至５の何れか一つに記載の液晶表示パネル。
【００４９】
（付記７）  前記液晶がノーマリホワイト型である、
付記１乃至５の何れか一つに記載の液晶表示パネル。
【００５０】
（付記８）  前記微小領域が一画素である、
付記１乃至７の何れか一つに記載の液晶表示パネル。
【００５１】
（付記９）  前記微小領域内に設けられる複数種類の液晶動作モードで表示する領域は、該液晶動作モードの特性に応じて配分される、
付記１乃至８の何れか一つに記載の液晶表示パネル。
【００５２】
（付記１０）  少なくとも一方の前記液晶動作モードで表示する領域が、マルチドメイン構造を有する、付記１乃至９の何れか一つに記載の液晶表示パネル。
【００５３】
【発明の効果】
以上説明したように、本発明によれば、複数の異なる液晶動作モードの構成を、液晶表示パネル内の微小領域、例えば一画素内にそれぞれ設けることにより、単一動作モードのみの液晶表示パネルでは得られなかった高い表示性能、画質を実現することが可能となる。すなわち、単一動作モードの液晶表示パネルが有する欠点を互いに補い合うことで、単一動作モードの液晶表示パネルの目立った欠点がない、非常にバランスの取れたマルチモード型の液晶表示パネルおよびマルチモード型液晶表示パネルを備えた表示装置（ディスプレイ）の実現が可能となる。
【図面の簡単な説明】
【図１】本発明によるマルチモード型液晶表示パネルの基本構成図である。
【図２】本発明によるマルチモード型液晶表示パネルの一実施形態の基本構成図である。
【図３】本発明によるマルチモード型液晶表示パネルの第１実施例における一方の基板の概略構成図である。
【図４】本発明によるマルチモード型液晶表示パネルの第２実施例における一方の基板の概略構成図である。
【図５】本発明によるマルチモード型液晶表示パネルの第３実施例を説明する概略構成図である。
【図６】各種モードの組合せ例の一覧表を示す図である。
【図７】単一モードとマルチモードの応答時間の相違を比較して示す図である。
【図８】単一モードとマルチモードの透過率（階調視覚特性）の相違を比較して示す図である。
【図９】単一モードとマルチモードのコントラストの相違を比較して示す図である。
【図１０】単一モードとマルチモードの透過率のシミュレーション結果を示す図であり、（Ａ）はＭＶＡ：ＩＰＳ＝１００：０のときの結果を示し、（Ｂ）はＭＶＡ：ＩＰＳ＝０：１００のときの結果を示し、（Ｃ）はＭＶＡ：ＩＰＳ＝５０：５０のときの結果を示す図である。
【図１１】従来技術による垂直配向型液晶パネルの説明図である。
【図１２】従来技術による横電界スイッチング型液晶パネルの説明図である。
【符号の説明】
１１…第１基板
１２…第１電極
１３…水平配向膜
１４…垂直配向膜
１５…液晶
１６…液晶分子
１７、２７…微細土手
２１…第２基板
２２…第２電極
２３…水平配向膜
２４…垂直配向膜
【図１】
2004302251.tif 000003
【図２】
2004302251.tif 000004
【図３】
2004302251.tif 000005
【図４】
2004302251.tif 000006
【図５】
2004302251.tif 000007
【図６】
2004302251.tif 000008
【図７】
2004302251.tif 000009
【図８】
2004302251.tif 000010
【図９】
2004302251.tif 000011
【図１０】
2004302251.tif 000012
【図１１】
2004302251.tif 000013
【図１２】
2004302251.tif 000014